(57)【要約】【課題】コイルスプリングを収容したクッション体の重量を軽減すること。【解決手段】本発明では、ワイヤ(12,18)を螺旋状に巻回して上下に伸縮するコイルスプリング(13,19)を収容したクッション体(1,24)や、袋体(10,16)に中空状のコイル室(11,17)を形成するとともに、コイル室(11,17)にワイヤ(12,18)を螺旋状に巻回して上下に伸縮するコイルスプリング(13,19)を収容したポケットコイル(3,15)や、袋体(10,16)に複数のコイル室(26,29)を左右に並べて形成するとともに、各コイル室(26,29)にワイヤ(12,18)を螺旋状に巻回して上下に伸縮するコイルスプリング(13,19)を収容したコイルスプリングシート(27,30)において、コイルスプリング(13,19)は、ワイヤ(12,18)に沿って曲率中心を仮想的に連結した中心線(14,20)が湾曲又は屈曲するように形成されていることにした。【選択図】図１
2019205507.tif 000002
【特許請求の範囲】
【請求項１】
ワイヤを螺旋状に巻回して上下に伸縮するコイルスプリングを収容したクッション体において、
コイルスプリングは、ワイヤに沿って曲率中心を仮想的に連結した中心線が湾曲又は屈曲するように形成されていることを特徴とするクッション体。
【請求項２】
袋体に中空状のコイル室を形成するとともに、コイル室にワイヤを螺旋状に巻回して上下に伸縮するコイルスプリングを収容したポケットコイルにおいて、
コイルスプリングは、ワイヤに沿って曲率中心を仮想的に連結した中心線が湾曲又は屈曲するように形成されていることを特徴とするポケットコイル。
【請求項３】
前記コイルスプリングは、上下方向に向けて湾曲形状又は屈曲形状に形成したコイル室に収容することで強制的に中心線が湾曲又は屈曲されていることを特徴とする請求項２に記載のポケットコイル。
【請求項４】
袋体に複数のコイル室を左右に並べて形成するとともに、各コイル室にワイヤを螺旋状に巻回して上下に伸縮するコイルスプリングを収容したコイルスプリングシートにおいて、
コイルスプリングは、ワイヤに沿って曲率中心を仮想的に連結した中心線が湾曲又は屈曲するように形成されていることを特徴とするコイルスプリングシート。
【請求項５】
袋体に複数のコイル室を左右に並べて形成するとともに、各コイル室にワイヤを螺旋状に巻回して上下に伸縮するコイルスプリングを収容してコイルスプリングシートを形成し、外装体に複数のコイルスプリングシートを並べて収容したマットレスにおいて、
コイルスプリングは、ワイヤに沿って曲率中心を仮想的に連結した中心線が湾曲又は屈曲するように形成されていることを特徴とするマットレス。
【発明の詳細な説明】
【技術分野】
【０００１】
本発明は、コイルスプリングを用いたクッション体、ポケットコイル、コイルスプリングシート、マットレスに関するものである。
【背景技術】
【０００２】
従来より、クッション体（たとえば、マットレス）においては、袋状の外装体の内部に複数のコイルスプリング（たとえば、ポケットコイル）が前後方向及び左右方向に水平に隙間なく密接させた状態で並べて収容されている（たとえば、特許文献１参照。）。
【０００３】
この従来のクッション体で用いられているコイルスプリングは、金属製のワイヤを上下方向に向けて螺旋形状に成形して、上下方向に向けて伸縮するように形成されている。
【０００４】
そして、従来のコイルスプリングは、螺旋形状を成すワイヤに沿って曲率中心を仮想的に連結した線（これを、コイルスプリングの中心線という。）が伸縮方向と同一方向（上下方向）に向かって伸延する直線となっている。
【０００５】
従来のクッション体においては、上記の中心線が直線状のコイルスプリングが前後方向及び左右方向に向けて密接させた状態で収容されている。
【先行技術文献】
【特許文献】
【０００６】
【特許文献１】特開２０１５−２１３６５７号公報
【発明の概要】
【発明が解決しようとする課題】
【０００７】
上記従来のクッション体では、中心線が伸縮方向と同一の上下方向に向かって直線状に伸延しているコイルスプリングを用いており、コイルスプリングの側部同士を近接させた状態で前後方向及び左右方向に並べて収容している。
【０００８】
そのため、上記従来のクッション体では、コイルスプリングを前後方向及び左右方向に密接させた状態で収容されることになり、コイルスプリングの使用個数が多くなって、クッション体の重量が重くてコストが高いものとなっていた。
【課題を解決するための手段】
【０００９】
そこで、請求項１に係る本発明では、ワイヤを螺旋状に巻回して上下に伸縮するコイルスプリングを収容したクッション体において、コイルスプリングは、ワイヤに沿って曲率中心を仮想的に連結した中心線が湾曲又は屈曲するように形成されていることにした。
【００１０】
また、請求項２に係る本発明では、袋体に中空状のコイル室を形成するとともに、コイル室にワイヤを螺旋状に巻回して上下に伸縮するコイルスプリングを収容したポケットコイルにおいて、コイルスプリングは、ワイヤに沿って曲率中心を仮想的に連結した中心線が湾曲又は屈曲するように形成されていることにした。
【００１１】
また、請求項３に係る本発明では、前記請求項２に係る本発明において、前記コイルスプリングは、上下方向に向けて湾曲形状又は屈曲形状に形成したコイル室に収容することで強制的に中心線が湾曲又は屈曲されていることにした。
【００１２】
また、請求項４に係る本発明では、袋体に複数のコイル室を左右に並べて形成するとともに、各コイル室にワイヤを螺旋状に巻回して上下に伸縮するコイルスプリングを収容したコイルスプリングシートにおいて、コイルスプリングは、ワイヤに沿って曲率中心を仮想的に連結した中心線が湾曲又は屈曲するように形成されていることにした。
【００１３】
また、請求項５に係る本発明では、袋体に複数のコイル室を左右に並べて形成するとともに、各コイル室にワイヤを螺旋状に巻回して上下に伸縮するコイルスプリングを収容してコイルスプリングシートを形成し、外装体に複数のコイルスプリングシートを並べて収容したマットレスにおいて、コイルスプリングは、ワイヤに沿って曲率中心を仮想的に連結した中心線が湾曲又は屈曲するように形成されていることにした。
【発明の効果】
【００１４】
そして、本発明では、以下に記載する効果を奏する。
【００１５】
すなわち、本発明では、ワイヤを螺旋状に巻回して上下に伸縮するコイルスプリングのワイヤに沿って曲率中心を仮想的に連結した中心線が湾曲又は屈曲するように形成されているために、複数のコイルスプリングを前後方向及び左右方向に並べて使用する際に従来よりもコイルスプリングの使用個数を低減することができ、それにより、コイルスプリングを使用したクッション体やコイルスプリングシートなどの重量を軽量なものとすることができるとともにコストを低廉化することができる。
【図面の簡単な説明】
【００１６】
【図１】クッション体（マットレス）を示す斜視図。
【図２】ポケットコイルを示す側面断面図。
【図３】コイルスプリングシートを示す側面断面図。
【図４】同拡大側面断面図。
【発明を実施するための形態】
【００１７】
以下に、本発明に係るコイルスプリングを用いたクッション体、ポケットコイル、コイルスプリングシート、マットレスの具体的な構成について図面を参照しながら説明する。
【００１８】
図１に示すように、クッション体１としてのマットレスは、袋状の外装体２の内部に複数個のポケットコイル３を前後方向及び左右方向に並べて収容している。各ポケットコイル３は、上下方向に単純に直線状に伸延した円柱形状とはなっておらず、側面視で湾曲した円柱形状となっている。
【００１９】
本発明では、ポケットコイル３の形態、特に、ポケットコイル３を構成するコイルスプリングの形態に最も特徴を有している。
【００２０】
図２（ａ）に示すように、従来のポケットコイル４は、上下方向に直線状に伸延する円柱状の袋体５の内部に上下に直線状に伸延する中空円柱状のコイル室６を形成し、そのコイル室６の内部にワイヤ７を上下方向に向けて螺旋状に巻回したコイルスプリング８を収容している。これにより、従来のポケットコイル４では、螺旋状に巻回したワイヤ７に沿って曲率中心を仮想的に連結した仮想線（これを、中心線９といい、図中に一点鎖線で示す。）が上下方向に直線状に伸延する単純な直線となっている。
【００２１】
これに対して、図２（ｂ）に示すように、本発明に係るポケットコイル３は、上下方向に向けて側面視で湾曲しながら伸延する円柱状の袋体10を用いており、袋体10の内部には、同様に上下方向に向けて側面視で湾曲しながら伸延する中空円柱状のコイル室11が形成されている。そして、そのコイル室11の内部に、ワイヤ12を側面視で湾曲させながら上下方向に向けて螺旋状に巻回したコイルスプリング13を収容している。これにより、本発明に係るポケットコイル３は、螺旋状に巻回したワイヤ12に沿って曲率中心を仮想的に連結した仮想線（図中に一点鎖線で示す中心線14）が上下方向に湾曲する（下方から上方へ向けて側面視で左横側又は右横側に曲がっている）曲線となっている。
【００２２】
本発明では、図２（ｃ）に示すポケットコイル15を用いることもできる。このポケットコイル15は、上下方向に向けて側面視で左右に屈曲（繰り返し湾曲）しながら伸延する円柱状の袋体16を用いており、袋体16の内部には、同様に上下方向に向けて側面視で左右に屈曲（繰り返し湾曲）しながら伸延する中空円柱状のコイル室17が形成されている。そして、そのコイル室17の内部に、ワイヤ18を側面視で左右に湾曲（繰り返し湾曲）させながら上下方向に向けて螺旋状に巻回したコイルスプリング19を収容している。これにより、本発明に係るポケットコイル15は、螺旋状に巻回したワイヤ18に沿って曲率中心を仮想的に連結した仮想線（図中に一点鎖線で示す中心線20）が上下方向に左右に屈曲（繰り返し湾曲）する（下方から上方へ向けて側面視で左横側及び右横側に曲がっている）曲線となっている。
【００２３】
このように、本発明では、コイルスプリング13,19の中心線14,20が湾曲又は屈曲するように形成されている。そして、本発明に係るコイルスプリング13,19は、ワイヤ12,18を巻回して製造する際に中心線14,20を強制的に湾曲又は屈曲するようにしてもよく、また、コイルスプリング13,19を収容するコイル室11,17を図２（ｂ）又は（ｃ）に示すように上下方向に向けて湾曲形状又は屈曲形状に形成しておき、その内部に従来の中心線９が上下方向に向けて直線状に伸延するコイルスプリング８を強制的に収容することで中心線14,20が強制的に湾曲又は屈曲するようにしたものであってもよい。
【００２４】
そして、図３（ａ）に示すように、従来のポケットコイル４（コイルスプリング８）は、上下方向に向けて直線状に伸延する円柱形状となっているために、外装体21の内部に前後方向及び左右方向に並べて収容した際に隣接するポケットコイル４の間に隙間があいていると、クッション性が低下してしまうとともにポケットコイル４が転倒してしまったり傾斜してしまい、クッション体22としての品質が損なわれるために、外装体21の内部に隙間を開けずに密着させた状態で前後方向及び左右方向に並べて収容する必要がある。そのため、従来のクッション体22では、非常に数多くのポケットコイル４（コイルスプリング８）が必要となって、重量やコストが増大していた。
【００２５】
これに対して、図３（ｂ）に示すように、本発明に係るポケットコイル３（コイルスプリング13）では、上下方向に向けて湾曲状に伸延する円柱形状となっているために、外装体２の内部に前後方向及び左右方向に並べて収容した際に隣接するポケットコイル３の間に隙間があいていても、クッション性を著しく低下させることなくポケットコイル３が転倒したり傾斜することなく、クッション体１としての品質が損なわれることがない。そのため、本発明に係るクッション体１では、ポケットコイル３（コイルスプリング13）の使用個数を減らすことができ、重量やコストを低減することができる。なお、ポケットコイル３（コイルスプリング13）は、中心線14が湾曲する向きを合せて前後方向や左右方向に並べてもよく、図３（ｂ）に示すように、中心線14が湾曲する向きを互いに対向させて前後方向や左右方向に並べてもよい。特に、上端及び下端で隣接するポケットコイル３同士を密着させることによって、ポケットコイル３の前後又は左右へのずれを防止することができる。
【００２６】
同様に、図３（ｃ）に示すように、本発明に係るポケットコイル15（コイルスプリング19）でも、上下方向に向けて左右に屈曲状に伸延する円柱形状となっているために、外装体23の内部に前後方向及び左右方向に並べて収容した際に隣接するポケットコイル15の間に隙間があいていても、クッション性を著しく低下させることなくポケットコイル15が転倒したり傾斜することなく、クッション体24としての品質が損なわれることがない。そのため、本発明に係るクッション体24では、ポケットコイル15（コイルスプリング19）の使用個数を減らすことができ、重量やコストを低減することができる。なお、ポケットコイル15（コイルスプリング19）も、中心線20が屈曲する向きを合せて前後方向や左右方向に並べてもよく、図３（ｃ）に示すように、中心線20が屈曲する向きを互いに対向させて前後方向や左右方向に並べてもよい。特に、上端又は下端で隣接するポケットコイル15同士を密着させることによって、ポケットコイル15の前後又は左右へのずれを防止することができる。
【００２７】
本発明に係るコイルスプリング13,19は、１個ずつ袋体10,16に収容してポケットコイル3,15を形成する場合に限られず、図４（ａ）に示すように、１個の袋体25（たとえば、前後２枚のシートを重ねて縫合又は接着したもの）に左右に並べて形成された複数の上下方向に湾曲するコイル室26に１個ずつ収容してコイルスプリングシート27を形成してもよく、また、図４（ｂ）に示すように、１個の袋体28（たとえば、前後２枚のシートを重ねて縫合又は接着したもの）に左右に並べて形成された複数の上下方向に屈曲するコイル室29に１個ずつ収容してコイルスプリングシート30を形成してもよい。この場合にも、コイルスプリング13,19は、ワイヤ12,18を巻回して製造する際に中心線14,20を強制的に湾曲又は屈曲するようにしてもよく、また、コイルスプリング13,19を収容するコイル室26,29を図４（ａ）又は（ｂ）に示すように上下方向に向けて湾曲形状又は屈曲形状に形成しておき、その内部に従来の中心線９が上下方向に向けて直線状に伸延するコイルスプリング８を強制的に収容することで中心線14,20が強制的に湾曲又は屈曲するようにしたものであってもよい。また、コイルスプリング13,19を中心線14,20が湾曲又は屈曲する向きを合せて左右に並べてもよく、コイルスプリング13,19を図４（ａ）又は（ｂ）に示すように、中心線14,20が湾曲又は屈曲する向きを互いに対向させて左右に並べてもよい。
【００２８】
以上に説明したように、本発明では、ワイヤ12,18を螺旋状に巻回して上下に伸縮するコイルスプリング13,19のワイヤ12,18に沿って曲率中心を仮想的に連結した中心線14,20が湾曲又は屈曲するように形成している。
【００２９】
そのため、本発明では、複数のコイルスプリング13,19を前後方向及び左右方向に並べて使用する際に従来よりもコイルスプリング13,19の使用個数を低減することができ、それにより、コイルスプリング13,19を使用したクッション体1,24やコイルスプリングシート27,30などの重量を軽量なものとすることができるとともにコストを低廉化することができる。
【符号の説明】
【００３０】
1,22,24  クッション体               2,21,23  外装体
3,4,15  ポケットコイル              5,10,16,25,28  袋体
6,11,17,26,29  コイル室             7,12,18  ワイヤ
8,13,19  コイルスプリング           9,14,20  中心線
27,30  コイルスプリングシート
【図１】
2019205507.tif 000003
【図２】
2019205507.tif 000004
【図３】
2019205507.tif 000005
【図４】
2019205507.tif 000006